(57)【要約】【課題】切断刃のみを取り替えることができて、ソーの切れ味を安価に再生することが可能であるとともに、十分な強度を有する回転鋸用切断刃の取付け構造及びその切断刃を提供する。【解決手段】外周に円周方向に沿って複数の歯（７）（７）…が形成されたリング状のソー本体（６）と、外周側がそれら歯（７）（７）…と噛み合うようにして配置されて、そのソー本体（６）を回転駆動する無端チェーン（２１）とからなる回転鋸（１）において、前記歯（７）（７）…に対して切断刃（１４）（１４）…を着脱自在とした。【選択図】　図１
2004050330.tif 000002
【特許請求の範囲】
【請求項１】
外周に複数の歯が形成された環状若しくは円盤状のソー本体を備えた回転鋸において、前記の歯に対して切断刃が着脱自在とされていることを特徴とする回転鋸用切断刃の取付け構造。
【請求項２】
外周に円周方向に沿って複数の歯が形成されたリング状のソー本体と、外周側がそれら歯と噛み合うようにして配置されて、そのソー本体を回転駆動する無端チェーンとからなる回転鋸において、前記歯に対して切断刃が着脱自在とされていることを特徴とする回転鋸用切断刃の取付け構造。
【請求項３】
前記切断刃が、歯の先端からソー本体の半径方向に向けて切り欠かれた凹部に、その歯の先端面から前記切断刃の刃先部が突出するようにして嵌め込まれている請求項１又は２記載の回転鋸用切断刃の取付け構造。
【請求項４】
前記凹部内には、その凹部の側面を連結する連結部が設けられているとともに、前記切断刃には、その連結部に嵌合する溝部が形成されている請求項３記載の回転鋸用切断刃の取付け構造。
【請求項５】
前記切断刃及び連結部には、夫々固定用穴が形成されており、それら固定用穴に差し込んだ固定ピンによって、切断刃が連結部に固定されている請求項４に記載の回転鋸用切断刃の取付け構造。
【請求項６】
前記切断刃は、焼結材からなる刃先部と、その焼結材とは異なる金属からなる基部とからなり、それら刃先部と基部とが、その刃先部の焼結時に一体成形されている請求項１乃至５のいずれかに記載の回転鋸用切断刃の取付け構造。
【請求項７】
外周に複数の歯が形成された環状若しくは円盤状のソー本体を備えた回転鋸用の切断刃であって、前記の歯に対して着脱自在とされていることを特徴とする回転鋸用切断刃。
【発明の詳細な説明】
【０００１】
【発明の属する技術分野】
この発明は、回転鋸のソー本体の外周に沿って設けられる回転鋸用切断歯の取付け構造と、その回転鋸用切断刃に関する。
【０００２】
【従来の技術】
一般に、回転鋸のソー本体の外周には、切断刃を備えた複数の歯が形成されている。これら回転鋸には、ハンディタイプの小型のものや、バックホー等のショベル系掘削機にアタッチメントとして取り付けられる大型のものが種々存在する。また、回転鋸の一種として、ソー本体がリング状であってそのソー本体を無端チェーンによって回転させるタイプの回転鋸がある。
【０００３】
【発明が解決しようとする課題】
ところで、石材、コンクリート材及び金属材などの硬質のものを回転鋸で切断すると、切断刃が激しく摩耗し、切れ味の低下が早かった。そのため、頻繁に新しいソー本体に取り替えて、切れ味を再生しなければならず、回転鋸のランニングコストが嵩みがちであった。特に、大型の回転鋸の場合は、ソー本体のサイズが大きく高価であるため、ランニングコストが嵩んでいた。
【０００４】
一方、切断刃を研ぎなおしたり、新しい切断刃をソー本体に溶接して取り付けたりして切れ味を再生することも考えられたが、繁雑な作業を要するためかえってコスト高になったり、不完全な溶接により切断刃の強度が十分でない等の不具合が生じる虞があった。
【０００５】
そこで、この発明は、上記不具合を解消し、切断刃のみを取り替えることができて、ソーの切れ味を安価に再生することが可能であるとともに、十分な強度を有する回転鋸用切断刃の取付け構造及びその切断刃を提供することを目的とする。
【０００６】
【課題を解決するための手段】
上記課題を解決するため、この発明の回転鋸用切断刃の取付け構造は、外周に複数の歯が形成された環状若しくは円盤状のソー本体を備えた回転鋸において、前記の歯に対して切断刃が着脱自在とされていることを特徴とする。
【０００７】
具体的には、回転鋸は、外周に円周方向に沿って複数の歯が形成されたリング状のソー本体と、外周側がそれら歯と噛み合うようにして配置されて、そのソー本体を回転駆動する無端チェーンとからなる。
【０００８】
また、前記切断刃が、歯の先端からソー本体の半径方向に向けて切り欠かれた凹部に、その歯の先端面から前記切断刃の刃先部が突出するようにして嵌め込まれている。
【０００９】
さらに、前記凹部内には、その凹部の側面を連結する連結部が設けられているとともに、前記切断刃には、その連結部に嵌合する溝部が形成されている。そして、前記切断刃及び連結部には、夫々固定用穴が形成されており、それら固定用穴に差し込んだ固定ピンによって、切断刃が連結部に固定されている。
【００１０】
さらにまた、前記切断刃は、焼結材からなる刃先部と、その焼結材とは異なる金属からなる基部とからなり、それら刃先部と基部とが、その刃先部の焼結時に一体成形されている。
【００１１】
加えて、この発明の回転鋸用切断刃は、外周に複数の歯が形成された環状若しくは円盤状のソー本体を備えた回転鋸用の切断刃であって、前記の歯に対して着脱自在とされていることを特徴とする。
【００１２】
【発明の実施の形態】
以下、この発明の一実施形態にかかる回転鋸用切断刃について、図面に基づいて詳細に説明する。
【００１３】
図４において、（１）は、回転鋸を示している。この回転鋸（１）は、例えばミニバックホー等のショベル系掘削機（２）のアーム（３）の先端及びシリンダーロッド（４）の先端に取り付けられ、例えば石材、コンクリート材、木材或いは金属材等の切断対象物（５）を切断するために用いられる。なお、回転鋸（１）は、ショベル系掘削機（２）のアタッチメントとして利用されるタイプのものに限られず、ハンディタイプの回転鋸などであっても良い。
【００１４】
回転鋸（１）は、図５に示すように、環状のリングソー本体（６）を備えている。このリングソー本体（６）は、例えば外径が約１０００ｍｍ、内外周間の径方向の幅が約１８０ｍｍ、軸方向の幅が約１６ｍｍであって、その外周には円周方向に沿って複数の歯（７）（７）…が形成されている。リングソー本体（６）は、その内周面を内側ガイドローラ（８）（８）に当接させるようにして、それら内側ガイドローラ（８）（８）に支持されている。なお、リングソー本体（６）のサイズは、上記のものに限られない。
【００１５】
各歯（７）には、図１に示すように、その先端からリングソー本体（６）の半径方向に向けて切り欠かれた凹部（９）が設けられている。凹部（９）は、そのソー本体円周方向の長さが例えば約３５ｍｍであり、図２に示すように、リングソー本体円周方向側の両側面（１０）（１０）が、歯（７）の一部によって閉塞されている。
【００１６】
また、凹部（９）は、そのソー本体軸方向の幅が歯（７）と同じ幅であり、図３に示すように、ソー本体軸方向側の両側面が開放状態となっている。さらに、凹部（９）は、その深さが約４０ｍｍである。なお、凹部（９）の形状及びサイズは、上記のものに限られない。
【００１７】
各凹部（９）内には、その凹部（９）のソー本体円周方向側の両側面（１０）（１０）を連結する連結部（１１）が設けられている。この連結部（１１）は、例えば幅が約１６ｍｍ、高さが約３０ｍｍであって、凹部（９）の底面（１２）に接した状態で、その凹部（９）の略中央に設けられている。すなわち、凹部（９）をリングソー本体（６）の軸線を含む面に沿って切断すると、断面は略倒Ｕ字形となる。さらに、連結部（１１）の略中央には、ソー本体軸方向に向けて固定用穴（１３）が形成されている。なお、連結部（１１）の形状及びサイズは、上記のものに限られない。
【００１８】
凹部（９）には、切断刃（１４）が着脱可能に嵌め込まれている。この切断刃（１４）は、刃先部（１５）と基部（１６）とを一体に成形したもので、基部（１６）の上面に刃先部（１５）が配置されている。
【００１９】
切断刃（１４）は、その形状が例えば略直方体で、ソー本体軸方向の幅が歯（７）よりもやや幅広となっている。この切断刃（１４）は、例えば砥粒としてのダイヤモンドと、ボンドとしてのニッケル、銅、スズ及びタングステンの合金とを混合し、焼結した焼結材からなる。なお、切断刃（１４）の形状は、上記のものに限られない。また、ボンドには、他の金属等を使用することが考えられ、砥粒は、ダイヤモンドに限られない。
【００２０】
基部（１６）は、例えば刃先部（１５）とは異なる金属からなり、具体的には鉄からなる。基部（１６）は、例えば凹部（９）と略同じ形の断面略倒Ｕ字形であって、凹部（９）の連結部（１１）に合わせて、その連結部（１１）に勘合する溝部（１７）が、リングソー本体円周方向に沿って形成されている。また、基部（１６）には、切断刃（１４）を凹部（９）に嵌め込んだ状態において、連結部（１１）の固定用穴（１３）と互いに連結する固定用穴（１８）が形成されている。なお、基部（１６）は、上記鉄製のものに限られず、その形状も上記のものに限られない。
【００２１】
凹部（９）に切断刃（１４）を嵌め込むと、その凹部（９）が基部（１６）によって略隙間なく埋まるとともに、刃先部（１５）が歯（７）の先端面から突出した状態となる。その状態で、固定ピン（１９）が、連通する固定用穴（１３）（１８）に跨るように差し込まれて、切断刃（１４）が歯（７）に固定されている。なお、固定ピン（１９）は、例えば一方の先端部分がやや先細りとなった断面略Ｃ型であり、固定用穴（１４）（１８）よりも径がやや大きいために差し込むと簡単には抜けない構造となっている。
【００２２】
このように、切断刃（１４）が、歯（７）に固定された状態では、基部（１６）のソー本体円周方向側の側面（２０）（２０）…が凹部（９）の側面（１０）（１０）に当接するようになっているため、切断刃（１４）を切断対象（５）に当てた衝撃でその切断刃（１４）がソー本体円周方向へずれ動くことがない。さらに、基部（１６）の溝部（１７）が連結部（１１）と勘合しているため、切断刃（１４）がリングソー本体（６）の軸方向へ外れることもない。
【００２３】
また、切断刃（１４）は、固定ピン（１９）で固定されているため、その固定ピン（１９）を抜き差しすれば歯（７）に対して着脱可能である。したがって、リングソーの切れ味が悪くなったときは、切断刃（１４）を交換することによって安価且つ簡単にソーの切れ味を再生することができる。
【００２４】
（２１）は、リングソー本体（６）を回転駆動するための無端チェーンである。この無端チェーン（２１）は、その外周側がリングソー本体（６）の歯（７）（７）…と噛み合うようにして、三角形の頂点をなすように配置された３個の回転体（２２）（２３）（２４）間に巻掛けされている。
【００２５】
回転体は、上側の回転体（２２）が駆動用のスプロケットで、下側２個の回転体（２３）（２４）がプーリである。
【００２６】
駆動用のスプロケット（２２）は、図示しない油圧モータにシャフト（２５）を介して連動連結されている。モータの動力がシャフト（２５）を介して駆動用のスプロケット（２２）に伝わり、無端チェーン（２１）が周回移動させられる。そして、無端チェーン（２１）と連動するリングソー本体（６）が回転する。
【００２７】
プーリ（２３）（２４）間では、無端チェーン（２１）がリングソー本体（６）の上端部によって上方に押し上げられた状態で、無端チェーン（２１）の外周側とリングソー本体（６）の複数の歯（７）（７）…とが噛み合っている。すなわち、これら無端チェーン（２１）とリングソー本体（６）は、あたかもスプロケットとチェーンのような関係で噛み合っている。
【００２８】
無端チェーン（２１）は、複数のリンク（２６）（２６）…をピン（２７）（２７）…で環状に連結したものである。各ピン（２７）（２７）…には、ローラ（２８）（２８）…が夫々外嵌され、そのローラ（２８）（２８）…が歯（７）（７）…間の谷部（２９）（２９）…に嵌り込んでそれら歯（７）（７）…を押し動かし、リングソー本体（６）を回転させる。なお、リングソー本体（６）の歯（７）（７）…は、ローラ（２８）（２８）…間に嵌り込むため、切断刃（１４）（１４）…が無端チェーン（２１）に接触してその無端チェーン（２１）を傷付ける虞がない。
【００２９】
この発明は、上記実施形態に限定されるものではなく、この発明の範囲内で上記実施形態に多くの修正及び変更を加え得ることは勿論である。
【００３０】
【発明の効果】
この発明の回転鋸用切断刃の取付け構造及び切断刃は、ソー本体の歯に対して切断刃が着脱自在とされているため、切断刃のみを交換することができ、安価且つ簡単にソーの切れ味を再生することができる。
【００３１】
また、歯には、その先端からソー本体の半径方向に向けて切り欠かれた凹部が設けられており、切断刃は、歯の先端面から切断刃が突出するようにして凹所に嵌め込まれているため、切断時の衝撃などで切断刃ずれ動き難く、リングソーの強度が高い。さらにまた、その凹部内には、切断刃の溝部と勘合する連結部が設けられていため、より切断刃が外れ難く、取付けの際の位置決めも容易である。
【００３２】
さらに、前記切断刃及び連結部に形成された固定用穴に固定ピンを差し込んで固定されているため、その固定ピンを抜き差しすれば簡単に切断刃を着脱することができ、切断刃の交換が容易である。
【００３３】
その上、焼結材からなる刃先部と、焼結材とは異なる金属からなる基部とが刃先部を焼結する際に一体成形されているため、切断刃の強度が高く壊れ難い。
【図面の簡単な説明】
【図１】この発明の実施形態に係る回転鋸用切断刃の取付け構造を示す斜視図である。
【図２】同じく、ソー本体軸方向に対して垂直な面で切断した断面図である。
【図３】同じく、ソー本体の軸線を含む面で切断した断面図である。
【図４】回転鋸をミニバックホーに取り付けた状態を示す図である。
【図５】回転鋸の内部を説明する図である。
【符号の説明】
（１）　回転鋸
（６）　ソー本体
（７）　歯
（９）　凹部
（１１）　連結部
（１３）（１８）　固定用穴
（１４）　切断刃
（１５）　刃先部
（１６）　基部
（１７）　溝部
（１９）　固定ピン
（２１）　無端チェーン
【図１】
2004050330.tif 000003
【図２】
2004050330.tif 000004
【図３】
2004050330.tif 000005
【図４】
2004050330.tif 000006
【図５】
2004050330.tif 000007